【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
式Ｉの構造を有する水溶性蛍光ポリマーであって、
【化１】
2021102779.tif 000001
式中、
各Ｘは、Ｃであり、
各Ｙは、ＣＲ１Ｒ２であり、
各Ｒ１は、ポリエチレングリコール（ＰＥＧ）、アンモニウムアルキル塩、アンモニウムアルキルオキシ塩、アンモニウムオリゴエーテル塩、スルホネートアルキル塩、スルホネートアルコキシ塩、スルホネートオリゴエーテル塩、スルホンアミドオリゴエーテル、及び
【化２】
2021102779.tif 000002
からなる群から独立して選択され、
各Ｒ２は、Ｈ、アルキル、アルケン、アルキン、シクロアルキル、ハロアルキル、アルコキシ、（ヘテロ）アリールオキシ、アリール、（ヘテロ）アリールアミノ、ＰＥＧ基、アンモニウムアルキル塩、アンモニウムアルキルオキシ塩、アンモニウムオリゴエーテル塩、スルホネートアルキル塩、スルホネートアルコキシ塩、スルホネートオリゴエーテル塩、スルホンアミドオリゴエーテル、及び
【化３】
2021102779.tif 000003
からなる群から独立して選択され、
各Ｒ３は、Ｈ、アルキル、アルケン、アルキン、シクロアルキル、ハロアルキル、アルコキシ、（ヘテロ）アリールオキシ、アリール、（ヘテロ）アリールアミノ、及びＰＥＧ基からなる群から独立して選択され、
各Ｚは、Ｃ、Ｏ、及びＮからなる群から独立して選択され、
各Ｑは、結合、ＮＨ、ＮＲ４、及びＣＨ２からなる群から独立して選択され、
各Ｍは、独立して、ポリマーバンドギャップを変更することができる電子豊富なリンカーユニットであり、かつ、ポリマー主鎖に沿って均一に又は不規則に分布し、かつ、
【化４】
2021102779.tif 000004
からなる群からそれぞれ独立して選択され、
式中、
各Ｒ４は、１０ｍｇ／ｍＬを超えての水中での可溶性を付与することができる非イオン性側鎖であり、かつ、ハロゲン、ヒドロキシル、Ｃ１〜Ｃ１２アルキル、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２アルコキシ、Ｃ２〜Ｃ１８（ヘテロ）アリールオキシ、Ｃ２〜Ｃ１８（ヘテロ）アリールアミノ、各ｘ’は独立して０〜２０の整数であり、各ｙ’は独立して０〜５０の整数である（ＣＨ２）ｘ’（ＯＣＨ２−ＣＨ２）ｙ’ＯＣＨ３、及びＣ２〜Ｃ１８（ヘテロ）アリール基からなる群からそれぞれ独立して選択され、
それぞれの必要に応じたリンカーＬは、ポリマー主鎖に沿って均一に又は不規則に分布したアリール又はヘテロアリール基であり、かつ、別の基質、受容体染料、分子又は結合剤への連結のために、アミン、カルバメート、カルボン酸、カルボキシレート、マレイミド、活性化エステル、Ｎ−ヒドロキシスクシンイミジル、ヒドラジン、ヒドラジド、ヒドラゾン、アジド、アルキン、アルデヒド、チオール、及びこれらの保護された基からなる群から選択される官能基で終端された１つ以上のペンダント鎖で置換され、
Ｇ１及びＧ２は、水素、ハロゲン、アルキン、必要に応じて置換されたアリール、必要に応じて置換されたヘテロアリール、ハロゲン置換アリール、シリル、ジアゾニウム塩、トリフレート、アセチルオキシ、アジド、スルホネート、リン酸塩、ボロン酸置換アリール、ボロン酸エステル置換アリール、ボロン酸エステル、ボロン酸、必要に応じて置換されたジヒドロフェナントレン（ＤＨＰ）、必要に応じて置換されたフルオレン、基質又は結合剤への連結のために、アミン、カルバメート、カルボン酸、カルボキシレート、マレイミド、活性化エステル、Ｎ−ヒドロキシスクシンイミジル、ヒドラジン、ヒドラジド、ヒドラゾン、アジド、アルキン、アルデヒド、チオール、及びこれらの保護された基から選択される官能基で終端された１つ以上のペンダント鎖で置換されたアリール又はヘテロアリールからなる群からそれぞれ独立して選択され、
ａ、ｃ、及びｄは、均一に又は不規則にそれぞれ繰り返され得る前記構造内のそれぞれのユニットのモル％を定義し、ａは１０〜１００％のモル％であり、ｃは０〜９０％のモル％であり、各ｄは０〜２５％のモル％であり、
各ｂは、独立して０又は１であり、
ｍは、１〜１０，０００の整数であり、
各ｎは、独立して１〜２０の整数である、水溶性蛍光ポリマー。
【請求項２】
前記ポリマーが、式ＩＩの構造を有する、請求項１に記載のポリマー
【化５】
2021102779.tif 000005
。
【請求項３】
前記ポリマーが、式ＩＩＩの構造を有し、
【化６】
2021102779.tif 000006
式中、
各ｆは、独立して０〜５０の整数であり、各Ｒ５は、Ｈ、Ｃ１〜Ｃ１２アルキル、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２アルコキシ、Ｃ２〜Ｃ１８（ヘテロ）アリールオキシ、Ｃ２〜Ｃ１８（ヘテロ）アリールアミノ、及びＣ１〜Ｃ１２アルコキシからなる群から独立して選択される、
請求項１に記載のポリマー。
【請求項４】
前記ポリマーが、式ＩＶの構造を有し、
【化７】
2021102779.tif 000007
式中、
各ｆは、独立して０〜５０の整数であり、各Ｒ５は、Ｈ、Ｃ１〜Ｃ１２アルキル、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２アルコキシ、Ｃ２〜Ｃ１８（ヘテロ）アリールオキシ、Ｃ２〜Ｃ１８（ヘテロ）アリールアミノ、及びＣ１〜Ｃ１２アルコキシからなる群から独立して選択される、
請求項１に記載のポリマー。
【請求項５】
前記ポリマーが、式Ｖの構造を有し、
【化８】
2021102779.tif 000008
式中、
各ｆは、独立して０〜５０の整数である、
請求項１に記載のポリマー。
【請求項６】
前記ポリマーが、コポリマーであり、かつ、式ＶＩの構造を有し、
【化９】
2021102779.tif 000009
式中、
ｇ及びａは共に、１０〜１００％のモル％である、
請求項１に記載のポリマー。
【請求項７】
前記ポリマーが、コポリマーであり、かつ、式ＶＩＩの構造を有し、
【化１０】
2021102779.tif 000010
式中、
各ｇ及びａは共に、１０〜１００％のモル％であり、
各ｆは、独立して０〜５０の整数であり、各Ｒ５は、Ｈ、Ｃ１〜Ｃ１２アルキル、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２アルコキシ、Ｃ２〜Ｃ１８（ヘテロ）アリールオキシ、Ｃ２〜Ｃ１８（ヘテロ）アリールアミノ、及びＣ１〜Ｃ１２アルコキシからなる群から独立して選択される、
請求項１に記載のポリマー。
【請求項８】
前記ポリマーが、コポリマーであり、かつ、式ＶＩＩＩの構造を有し、
【化１１】
2021102779.tif 000011
式中、
各ｇ及びａは共に、１０〜１００％のモル％であり、
各ｆは、独立して０〜５０の整数であり、各Ｒ５は、Ｈ、Ｃ１〜Ｃ１２アルキル、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２アルコキシ、Ｃ２〜Ｃ１８（ヘテロ）アリールオキシ、Ｃ２〜Ｃ１８（ヘテロ）アリールアミノ、及びＣ１〜Ｃ１２アルコキシからなる群から独立して選択される、
請求項１に記載のポリマー。
【請求項９】
前記ポリマーが、コポリマーであり、かつ、式ＩＸの構造を有し、
【化１２】
2021102779.tif 000012
式中、
各ｇ及びａは共に、１０〜１００％のモル％であり、
各ｆは、独立して０〜５０の整数である、
請求項１または３に記載のポリマー。
【請求項１０】
Ｌが、
【化１３】
2021102779.tif 000013
からなる群からそれぞれ独立して選択され、
式中、
各Ｒ６は、１つ以上のハロゲン、ヒドロキシル、Ｃ１〜Ｃ１２アルコキシ、又は（ＯＣＨ２ＣＨ２）ｆＯＣＨ３で必要に応じて置換されたＨ、ＯＨ、ＳＨ、ＮＨＣＯＯ−ｔ−ブチル、（ＣＨ２）ｎＣＯＯＨ、（ＣＨ２）ｎＣＯＯＣＨ３、（ＣＨ２）ｎＮＨ２、（ＣＨ２）ｎＮＨ−（ＣＨ２）ｎ−ＣＨ３、（ＣＨ２）ｎＮＨＣＯＯＨ、（ＣＨ２）ｎＮＨＣＯ−（ＣＨ２）ｎ−ＣＯ−（ＣＨ２）ｎ−ＣＨ３、（ＣＨ２）ｎＮＨＣＯＯ−（ＣＨ２）ｎ−ＣＨ３、（ＣＨ２）ｎＮＨＣＯＯＣ（ＣＨ３）３、（ＣＨ２）ｎＮＨＣＯ（Ｃ３〜Ｃ１２）シクロアルキル、（ＣＨ２）ｎＮＨＣＯ（ＣＨ２ＣＨ２Ｏ）ｆ、（ＣＨ２）ｎＮＨＣＯ（ＣＨ２）ｎＣＯＯＨ、（ＣＨ２）ｎＮＨＣＯ（ＣＨ２）ｎＣＯＯ（ＣＨ２）ｎＣＨ３、（ＣＨ２）ｎ（ＯＣＨ２ＣＨ２）ｆＯＣＨ３、Ｎ−マレイミド、ハロゲン、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２（ヘテロ）アリール、Ｃ１〜Ｃ１２（ヘテロ）アリールアミノ、及びベンジルからなる群から独立して選択され、
各ｆは、独立して０〜５０の整数であり、
各ｎは、独立して１〜２０の整数である、
請求項１に記載のポリマー。
【請求項１１】
Ｇ１及びＧ２が、必要に応じて置換されたジヒドロフェナントレン（ＤＨＰ）、必要に応じて置換されたフルオレン、官能基で終端された１つ以上のペンダント鎖で置換されたアリール、及び官能基で終端された１つ以上のペンダント鎖で置換されたヘテロアリールからなる群からそれぞれ独立して選択される、請求項１に記載のポリマー。
【請求項１２】
Ｇ１及びＧ２が、
【化１４】
2021102779.tif 000014
からなる群からそれぞれ独立して選択され、
式中、
各Ｒ６は、１つ以上のハロゲン、ヒドロキシル、Ｃ１〜Ｃ１２アルコキシ、又は（ＯＣＨ２ＣＨ２）ｆＯＣＨ３で必要に応じて置換されたＨ、ＯＨ、ＳＨ、ＮＨＣＯＯ−ｔ−ブチル、（ＣＨ２）ｎＣＯＯＨ、（ＣＨ２）ｎＣＯＯＣＨ３、（ＣＨ２）ｎＮＨ２、（ＣＨ２）ｎＮＨ−（ＣＨ２）ｎ−ＣＨ３、（ＣＨ２）ｎＮＨＣＯＯＨ、（ＣＨ２）ｎＮＨＣＯ−（ＣＨ２）ｎ−ＣＯ−（ＣＨ２）ｎ−ＣＨ３、（ＣＨ２）ｎＮＨＣＯＯ−（ＣＨ２）ｎ−ＣＨ３、（ＣＨ２）ｎＮＨＣＯＯＣ（ＣＨ３）３、（ＣＨ２）ｎＮＨＣＯ（Ｃ３〜Ｃ１２）シクロアルキル、（ＣＨ２）ｎＮＨＣＯ（ＣＨ２ＣＨ２Ｏ）ｆ、（ＣＨ２）ｎＮＨＣＯ（ＣＨ２）ｎＣＯＯＨ、（ＣＨ２）ｎＮＨＣＯ（ＣＨ２）ｎＣＯＯ（ＣＨ２）ｎＣＨ３、（ＣＨ２）ｎ（ＯＣＨ２ＣＨ２）ｆＯＣＨ３、Ｎ−マレイミド、ハロゲン、Ｃ２〜Ｃ１２アルケン、Ｃ２〜Ｃ１２アルキン、Ｃ３〜Ｃ１２シクロアルキル、Ｃ１〜Ｃ１２ハロアルキル、Ｃ１〜Ｃ１２（ヘテロ）アリール、Ｃ１〜Ｃ１２（ヘテロ）アリールアミノ、及びベンジルからなる群から独立して選択され、
各ｆは、独立して０〜５０の整数であり、
各ｎは、独立して１〜２０の整数である、請求項１に記載のポリマー。
【請求項１３】
前記ポリマーに連結された結合剤を更に含む、
請求項１〜１２のいずれか１項に記載のポリマー。
【請求項１４】
前記結合剤が抗体である、請求項１３に記載のポリマー。
【請求項１５】
試料中の検体を検出するための方法であって、
前記検体の含有が疑われる試料を提供することと、
請求項１〜１２のいずれか１項に定義された水溶性蛍光ポリマーに連結された結合剤と前記試料を接触させることと、
を含む、方法。
【請求項１６】
前記結合剤が、タンパク質、ペプチド、親和性リガンド、抗体、抗体フラグメント、糖、脂質、核酸又はアプタマーである、請求項１５に記載の方法。
【請求項１７】
前記結合剤が抗体である、請求項１６に記載の方法。
【請求項１８】
前記方法がフローサイトメトリー用に構成されている、請求項１６に記載の方法。
【請求項１９】
前記バインダーが基質に結合されている、請求項１６に記載の方法。
【請求項２０】
前記検体が、細胞表面上で発現されたタンパク質である、請求項１６に記載の方法。
【請求項２１】
前記方法が、イムノアッセイとして構成されている、請求項１６に記載の方法。
【請求項２２】
前記方法が、追加の検体を同時に検出するための追加の結合剤を提供することを更に含む、請求項１６に記載の方法。